(57)【要約】【課題】異なる接続式のコネクタに接続保持可能な利便性の高いコネクタを提供すること。【解決手段】コネクタが、第１方向に延びかつ第１方向まわりに相互に間隔を空けて配置されていると共に、第１方向に交差する第２方向でかつコネクタ本体から離れる方向に弾性変形可能な複数の爪部を有する係止部と、係止部を第１方向まわりに取り囲む筒形状で、その内周面における第１方向でかつ接続部に近い方の端部に設けられたねじ溝部を有する保持部とを備える。保持部は、第１の相手側コネクタの被係止部に係止された状態の係止部を保持する保持位置と、係止部に対する保持を解除する保持解除位置と、ねじ溝部が第２の相手側コネクタのねじ山部に嵌合する嵌合位置との間をコネクタ本体に対して移動可能に構成されている。【選択図】図１
2019160652.tif 000002
【特許請求の範囲】
【請求項１】
第１方向に沿って接続された第１の相手側コネクタに対して係止保持可能な、または、前記第１方向に沿って接続された第２の相手側コネクタに対して嵌合保持可能なコネクタにおいて、
前記第１方向に沿って延びると共に、前記第１方向の第１端部に設けられ前記第１の相手側コネクタおよび前記第２の相手側コネクタと接続可能な接続部を有するコネクタ本体と、
前記コネクタ本体の前記第１端部の前記第１方向まわりに配置され、前記接続部に前記第１の相手側コネクタが接続された接続状態で、前記第１方向において前記第１の相手側コネクタの被係止部に係止可能な係止部と、
前記係止部を前記第１方向まわりに取り囲む筒状を有すると共に、その内周面における前記第１方向でかつ前記第１端部に近い方の端部に設けられ、前記接続部に前記第２の相手側コネクタが接続された接続状態で、前記第２の相手側コネクタのねじ山部に嵌合可能なねじ溝部を有し、前記コネクタ本体に対して前記第１方向に沿って移動可能な保持部と
を備え、
前記係止部が、
前記第１方向に延びかつ前記第１方向まわりに相互に間隔を空けて配置されていると共に、前記第１方向に交差する第２方向でかつ前記コネクタ本体から離れる方向に弾性変形して前記被係止部に係止可能な複数の爪部を有し、
前記保持部が、
前記被係止部に係止された状態の前記複数の爪部を保持する保持位置と、前記第１方向において前記保持位置よりも前記第１端部から遠い位置であって前記係止部に対する保持を解除する保持解除位置と、前記第１方向において前記保持位置よりも前記コネクタ本体の前記第１端部に近い位置であって前記ねじ溝部が前記ねじ山部に嵌合する嵌合位置との間を移動可能に構成されている、コネクタ。
【請求項２】
前記保持部が、
前記第１方向まわりに配置され、前記嵌合位置において、前記係止部の前記複数の爪部の各々をそれぞれ収容可能な複数の爪収容部を有している、請求項１のコネクタ。
【請求項３】
前記複数の爪収容部の各々が、前記第２方向でかつ前記コネクタ本体から離れる方向への前記複数の爪部の弾性変形を許容する空間を形成している、請求項２のコネクタ。
【請求項４】
前記係止部が、前記コネクタ本体を前記第１方向まわりに取り囲むリング状の本体部を有し、前記本体部に前記複数の爪部が設けられている、請求項１から３のいずれか１つのコネクタ。
【請求項５】
前記複数の爪部の各々が、前記第１方向でかつ前記第１端部に近い方の端部に設けられ、前記第２方向でかつ前記コネクタ本体に向かって延びて、前記接続部に前記相手側コネクタが接続された接続状態で、前記被係止部に係止可能な突起部を有し、
前記保持部が、前記保持位置において、前記突起部の前記第２方向への移動を規制することにより、前記係止部を保持する、請求項１から４のいずれか１つのコネクタ。
【請求項６】
前記第１方向において前記第１端部の反対側に配置された前記コネクタ本体の第２端部に設けられたガイド部をさらに備え、
前記保持部が、前記第１方向でかつ前記第１端部から遠い方の端部に設けられ、前記第２方向でかつ前記コネクタ本体に接近する方向に延びるガイド突起を有し、
前記ガイド部が、前記ガイド突起を収容して前記保持部の前記第１方向への移動をガイドするガイド溝部を有している、請求項１から５のいずれか１つのコネクタ。
【請求項７】
前記接続部と前記ガイド部との間に設けられ、前記第１方向に沿って前記保持位置に向かって、前記保持部を付勢する弾性部をさらに備える、請求項６のコネクタ。
【請求項８】
第１方向に沿って接続された相手側コネクタに対して係止保持可能なコネクタにおいて、
前記第１方向に沿って延びると共に、前記第１方向の第１端部に設けられ前記相手側コネクタと接続可能な接続部を有するコネクタ本体と、
前記コネクタ本体の前記第１端部の前記第１方向まわりに配置され、前記接続部に前記相手側コネクタが接続された接続状態で、前記第１方向において前記相手側コネクタの被係止部に係止可能な係止部と、
前記係止部の前記第１方向まわりに配置され、前記係止部を保持する保持位置と、前記第１方向において前記保持位置よりも前記第１端部から遠い位置であって前記係止部に対する保持を解除する保持解除位置との間を前記コネクタ本体に対して前記第１方向に沿って移動可能な保持部と
を備え、
前記係止部が、
前記第１方向に延びかつ前記第１方向まわりに相互に間隔を空けて配置されていると共に、前記第１方向に交差する第２方向でかつ前記コネクタ本体から離れる方向に弾性変形可能な複数の爪部を有している、コネクタ。
【発明の詳細な説明】
【技術分野】
【０００１】
本開示は、コネクタに関する。
【背景技術】
【０００２】
特許文献１には、所定の方向に沿って相互に接続可能な第１コネクタおよび第２コネクタが開示されている。第１コネクタは、内部に係止部を有する凹部を備えている。また、第２コネクタは、第１コネクタの凹部に挿入可能な筒状を有し、その外周面に第１コネクタの係止部が係止可能な被係止部が設けられている。
【先行技術文献】
【特許文献】
【０００３】
【特許文献１】米国特許第７６９５３０２号
【発明の概要】
【発明が解決しようとする課題】
【０００４】
ところで、前記第１コネクタおよび前記第２コネクタは、いわゆるスナップフィット接続式のコネクタである。このようなスナップフィット接続式のコネクタには、通常、スナップフィット接続式のコネクタのみが接続保持可能になっているため、スナップフィット接続式のコネクタ以外のコネクタを接続保持することができず、利便性に欠ける場合がある。
【０００５】
本開示は、異なる接続式のコネクタに接続保持可能な利便性の高いコネクタを提供することを目的とする。
【課題を解決するための手段】
【０００６】
本開示の一例のコネクタは、
第１方向に沿って接続された第１の相手側コネクタに対して係止保持可能な、または、前記第１方向に沿って接続された第２の相手側コネクタに対して嵌合保持可能なコネクタにおいて、
前記第１方向に沿って延びると共に、前記第１方向の第１端部に設けられ前記第１の相手側コネクタおよび前記第２の相手側コネクタと接続可能な接続部を有するコネクタ本体と、
前記コネクタ本体の前記第１端部の前記第１方向まわりに配置され、前記接続部に前記第１の相手側コネクタが接続された接続状態で、前記第１方向において前記第１の相手側コネクタの被係止部に係止可能な係止部と、
前記係止部を前記第１方向まわりに取り囲む筒状を有すると共に、その内周面における前記第１方向でかつ前記第１端部に近い方の端部に設けられ、前記接続部に前記第２の相手側コネクタが接続された接続状態で、前記第２の相手側コネクタのねじ山部に嵌合可能なねじ溝部を有し、前記コネクタ本体に対して前記第１方向に沿って移動可能な保持部と
を備え、
前記係止部が、
前記第１方向に延びかつ前記第１方向まわりに相互に間隔を空けて配置されていると共に、前記第１方向に交差する第２方向でかつ前記コネクタ本体から離れる方向に弾性変形して前記被係止部に係止可能な複数の爪部を有し、
前記保持部が、
前記被係止部に係止された状態の前記複数の爪部を保持する保持位置と、前記第１方向において前記保持位置よりも前記第１端部から遠い位置であって前記係止部に対する保持を解除する保持解除位置と、前記第１方向において前記保持位置よりも前記コネクタ本体の前記第１端部に近い位置であって前記ねじ溝部が前記ねじ山部に嵌合する嵌合位置との間を移動可能に構成されている。
【発明の効果】
【０００７】
前記コネクタによれば、係止部が、第１方向に延びかつ第１方向まわりに相互に間隔を空けて配置されていると共に、第１方向に交差する第２方向でかつコネクタ本体から離れる方向に弾性変形可能な複数の爪部を有している。また、保持部が、係止部を第１方向まわりに取り囲む筒形状で、その内周面における第１方向でかつ接続部に近い方の端部に設けられたねじ溝部を有している。複数の爪部により、スナップフィット接続式の第１の相手側コネクタに対して接続状態で係止保持でき、また、ねじ溝部により、ねじ接続式の第２の相手側コネクタに対して接続状態で嵌合保持できる。すなわち、相手側コネクタが、スナップフィット接続式のコネクタだけでなく、ねじ接続式のコネクタである場合であっても接続状態で保持可能な利便性の高いコネクタを実現できる。
【図面の簡単な説明】
【０００８】
【図１】本開示の一実施形態のコネクタを示す斜視図。
【図２】図１のコネクタの保持部を取り除いた状態の斜視図。
【図３】図１のコネクタの係止部を示す斜視図。
【図４】図１のコネクタの保持部を示す斜視図。
【図５】図１のコネクタの図１とは異なる方向から見たコネクタ本体の第２端部の拡大斜視図。
【図６】図１のVI-VI線に沿った断面図。
【図７】図１のコネクタに相手側コネクタを接続した状態の第１の断面模式図。
【図８】図１のコネクタに相手側コネクタを接続した状態の第２の断面模式図。
【図９】図１のコネクタの変形例を示す斜視図。
【図１０】図９のX-X線に沿ったコネクタ本体の第１端部の拡大断面図。
【発明を実施するための形態】
【０００９】
以下、本開示の一例を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した本開示の理解を容易にするためであって、それらの用語の意味によって本開示の技術的範囲が限定されるものではない。また、以下の説明は、本質的に例示に過ぎず、本開示、その適用物、あるいは、その用途を制限することを意図するものではない。さらに、図面は模式的なものであり、各寸法の比率等は現実のものとは必ずしも合致していない。
【００１０】
本開示の一実施形態のコネクタ１は、図１に示すように、いわゆるスナップフィット接続式の第１の相手側コネクタと、いわゆるねじ接続式の第２の相手側コネクタとに対して、第１方向Ａに沿って選択的に接続保持可能に構成されている。すなわち、前記コネクタ１は、第１方向Ａに沿って接続された第１の相手側コネクタに対して係止保持可能に構成され、第１方向Ａに沿って接続された第２の相手側コネクタに対して嵌合保持可能に構成されている。このコネクタ１は、相手側コネクタに接続可能なコネクタ本体１０と、このコネクタ本体１０の第１方向Ａまわりに配置された係止部２０と、この係止部２０の第１方向Ａまわりに配置された保持部３０とを備えている。また、保持部３０は、コネクタ本体１０に対して第１方向Ａに移動可能に構成されている。
【００１１】
コネクタ本体１０は、図１に示すように、第１方向Ａに沿って延びると共に、第１方向Ａの第１端部１０１に設けられ相手側コネクタに接続可能な接続部１１を有している。また、コネクタ本体１０の第１方向Ａの第２端部１０２には、内部に導体部を有するケーブル２が接続されている。この実施形態では、コネクタ本体１０は、一例として、略円筒形状を有し、雌型を構成している。
【００１２】
接続部１１の内部には、第１方向Ａから相手側コネクタのプラグ端子を挿抜可能な複数の端子収容部１２が設けられている。各端子収容部１２には、ケーブル２の導体部に電気的に接続されたソケット端子がそれぞれ収容されている。なお、前記コネクタ１では、一例として、４つの端子収容部１２が接続部１１に設けられている。
【００１３】
また、接続部１１の外周には、オーリング１６が設けられている。このオーリング１６は、相手側コネクタが接続部１１に接続された接続状態において、相手側コネクタとの間を封止するように構成されている。
【００１４】
図２に示すように、コネクタ本体１０の第２端部１０２には、ガイド部１３が固定されている。このガイド部１３は、後述する保持部３０のガイド突起３２を収容可能なガイド溝部１４を有している。ガイド溝部１４は、第１方向Ａ沿いをコネクタ本体１０の第２端部１０２から第１端部１０１に向かって、第１方向Ａに沿って延びるコネクタ本体１０の中心線Ｌまわりを回転しつつ延びて、ガイド突起３２を介して保持部３０の第１方向Ａの移動をガイドする。
【００１５】
なお、前記コネクタ１のガイド部１３には、一例として、コネクタ本体１０の中心線Ｌに対して対称に配置された２つのガイド溝部１４が設けられている。
【００１６】
また、コネクタ本体１０の接続部１１とガイド部１３との間には、弾性部の一例のコイルばね１５が設けられている。このコイルばね１５は、第１方向Ａに伸縮して、第１方向Ａ沿いを後述する保持位置Ｐ２（図７参照）に向かって、保持部３０を付勢する。
【００１７】
係止部２０は、図２示すように、コネクタ本体１０の第１端部１０１の第１方向Ａまわりに配置され、接続部１１に相手側コネクタが接続された接続状態で、第１方向Ａにおいて相手側コネクタの被係止部に係止可能に構成されている。
【００１８】
詳しくは、係止部２０は、コネクタ本体１０を第１方向Ａまわりに取り囲むリング状の本体部２１と、本体部２１に設けられ第１方向Ａに延びかつ第１方向Ａまわりに相互に間隔を空けて配置された複数の爪部２２とを有している。前記コネクタ１では、一例として、第１方向Ａまわりに等間隔で配置された４つの爪部２２が設けられている。
【００１９】
各爪部２２は、図３に示すように、コネクタ本体１０の外面に沿って湾曲した円弧板状を有し、第１方向Ａに交差する第２方向（すなわち、中心線Ｌに対する径方向）でかつコネクタ本体１０から離れる方向に弾性変形可能に構成されている。各爪部２２の先端部（すなわち、第１方向Ａでかつコネクタ本体１０の第１端部１０１に近い方の端部）には、第２方向でかつコネクタ本体１０に接近する方向に延びている突起部２３を有している。この突起部２３は、接続部１１に相手側コネクタが接続された接続状態で、第１方向Ａにおいて被係止部に係止可能に構成されている。
【００２０】
保持部３０は、図１に示すように、係止部２０を第１方向Ａまわりに取り囲む筒形状（例えば、略円筒形状）を有している。この保持部３０には、図４および図５に示すように、ねじ溝部３１と、ガイド突起３２と、複数の爪収容部３３とが設けられている。
【００２１】
ねじ溝部３１は、図４に示すように、保持部３０の内周面における第１方向Ａでかつコネクタ本体１０の第１端部１０１に近い方の端部に設けられている。前記コネクタ１は、一例として、コネクタ本体１０の中心線Ｌまわりに等間隔で並んで配置された４つのねじ溝部３１を有している。各ねじ溝部３１は、第１方向Ａに沿って等間隔で配置された複数のねじ溝で構成されている。
【００２２】
ガイド突起３２は、図５に示すように、第１方向Ａでかつコネクタ本体１０の第１端部１０１から遠い方の端部（すなわち、第２端部１０２に近い方の端部）に配置されている。このガイド突起３２は、第２方向でかつコネクタ本体１０に接近する方向に延びて、ガイド部１３のガイド溝部１４に収容可能に構成されている。
【００２３】
各爪収容部３３は、保持部３０の第１方向Ａまわりに配置され、嵌合位置Ｐ３（図８参照）において、保持部３０を第２方向に貫通しかつ係止部２０の複数の爪部２２の各々をそれぞれ収容可能な開口部で構成されている。すなわち、前記コネクタ１では、一例として、４つの爪収容部３３が、コネクタ本体１０の中心線Ｌまわりに等間隔で並んで配置されている。
【００２４】
ねじ溝部３１および爪収容部３３は、コネクタ本体１０の中心線Ｌまわりを直列的に交互に並んで配置されている。
【００２５】
図６〜図８に示すように、保持部３０は、第１方向Ａ沿いの３つの位置、すなわち、保持解除位置Ｐ１、保持位置Ｐ２および嵌合位置Ｐ３の間を相互に移動可能に構成されている。保持解除位置Ｐ１、保持位置Ｐ２および嵌合位置Ｐ３は、この順にコネクタ本体１０の第１端部１０１に接近するように配置されている。
【００２６】
保持解除位置Ｐ１は、図６に示すように、係止部２０の各爪部２２が第２方向Ｂに移動可能な位置である。保持位置Ｐ２は、図７に示すように、接続部１１に相手側コネクタが接続された接続状態において、第１方向Ａにおいて被係止部１２０に係止した各爪部２２の第２方向の移動を規制して保持する位置である。また、嵌合位置Ｐ３は、図８に示すように、接続部１１に相手側コネクタが接続された接続状態で、ねじ溝部３１に相手側コネクタのねじ山部１３０が嵌合する位置である。
【００２７】
なお、保持部３０は、コイルばね１５により第１方向Ａ沿いを保持位置Ｐ２に向かって付勢されているため、外力が加えられていない初期状態では、保持位置Ｐ２に位置するように構成されている。
【００２８】
次に、前記コネクタ１を相手側コネクタに接続保持するときの動作について、図６〜図８を参照して、説明する。
【００２９】
まず、図６に示すように、保持部３０を保持解除位置Ｐ１に移動させた状態で、コネクタ本体１０に相手側コネクタ１００のコネクタ本体１１０を接続する。
【００３０】
相手側コネクタ１００が、いわゆるスナップフィット接続式のコネクタである場合、図７に示すように、係止部２０の各爪部２２の突起部２３が被係止部１２０に係止するように、コネクタ本体１０に相手側コネクタ１００のコネクタ本体１１０を接続する。この状態で、保持部３０を保持解除位置Ｐ１から保持位置Ｐ２まで移動させて、各爪部２２の突起部２３の第２方向Ｂの移動を規制する。これにより、コネクタ１が、相手側コネクタ１００に対して接続状態で係止保持される。なお、一般に、スナップフィット接続式のコネクタは、ねじ接続式のコネクタよりも相手側コネクタに対して容易に接続保持できる。
【００３１】
また、相手側コネクタ１００が、いわゆるねじ接続式のコネクタである場合、図８に示すように、コネクタ本体１０に相手側コネクタ１００のコネクタ本体１１０を接続した状態で、保持部３０を保持解除位置Ｐ１から嵌合位置Ｐ３まで移動させる。このとき、保持部３０は、ガイド部１３のガイド溝部１４に沿って（すなわち、第１方向Ａ沿いをコネクタ本体１０の第２端部１０２から第１端部１０１に向かって、コネクタ本体１０の中心線Ｌまわりを回転しながら）移動する。これにより、保持部３０のねじ溝部３１が相手側コネクタ１００のねじ山部１３０に嵌合して、コネクタ１が、相手側コネクタ１００に対して接続状態で嵌合保持される。なお、一般に、ねじ接続式のコネクタは、スナップフィット接続式のコネクタよりも相手側コネクタに対する接続状態を強固に保持できる。
【００３２】
このように、コネクタ１によれば、係止部２０が、第１方向Ａに延びかつ第１方向Ａまわりに相互に間隔を空けて配置されていると共に、第１方向Ａに交差する第２方向Ｂでかつコネクタ本体１０から離れる方向に弾性変形可能な複数の爪部２２を有している。また、保持部３０が、係止部２０を第１方向Ａまわりに取り囲む筒形状で、その内周面における第１方向Ａでかつ接続部１１に近い方の端部に設けられたねじ溝部３１を有している。複数の爪部２２により、スナップフィット接続式の第１の相手側コネクタ１００に対して接続状態で係止保持でき、また、ねじ溝部３１により、ねじ接続式の第２の相手側コネクタ１００に対して接続状態で嵌合保持できる。すなわち、相手側コネクタ１００が、スナップフィット接続式のコネクタだけでなく、ねじ接続式のコネクタである場合であっても接続状態で保持可能な利便性の高いコネクタ１を実現できる。
【００３３】
また、保持部３０が、第１方向Ａまわりに配置され、嵌合位置Ｐ３において、係止部２０の複数の爪部２２の各々をそれぞれ収容可能な複数の爪収容部３３を有している。各爪収容部３３により、コネクタ１をその径方向において小型化しつつ、利便性の高いコネクタ１を実現できる。
【００３４】
また、各爪収容部３３が、保持部３０を第２方向に貫通する開口部で構成されている。これにより、簡単な構成で、コネクタ１をその径方向において小型化しつつ、利便性の高いコネクタ１を実現できる。
【００３５】
また、係止部２０が、コネクタ本体１０を第１方向Ａまわりに取り囲むリング状の本体部２１を有し、本体部２１に複数の爪部２２が設けられている。これにより、簡単な構成で、利便性の高いコネクタ１を実現できる。
【００３６】
また、各爪部２２が、第１方向Ａでかつ第１端部１０１に近い方の端部に設けられ、第２方向Ｂでかつコネクタ本体１０に向かって延びて、接続部１１に相手側コネクタ１００が接続された接続状態で、被係止部１２０に係止可能な突起部２３を有し、保持部３０が、保持位置Ｐ２において、突起部２３の第２方向Ｂへの移動を規制することにより、係止部２０を保持する。これにより、簡単な構成で、被係止部１２０の形状などが異なる複数の相手側コネクタ１００に対してコネクタ１を接続状態で係止保持できる。
【００３７】
また、コネクタ本体１０の第２端部１０２に設けられたガイド部１３をさらに備え、保持部３０が、第１方向Ａでかつ第１端部１０１から遠い方の端部に設けられ、第２方向でかつコネクタ本体１０に接近する方向に延びるガイド突起３２を有し、ガイド部１３が、ガイド突起３２を収容して保持部３０の第１方向Ａへの移動をガイドするガイド溝部１４を有している。これにより、保持部３０を第１方向Ａに沿って容易に移動させることができる。
【００３８】
また、接続部１１とガイド部１３との間に設けられ、第１方向Ａに沿って保持位置Ｐ２に向かって保持部３０を付勢するコイルばね１５をさらに備える。このコイルばね１５により、保持部３０の位置を保持位置Ｐ２で容易に維持することができる。
【００３９】
なお、前記コネクタ１では、相手側コネクタ１００が、スナップフィット接続式のコネクタだけでなく、ねじ接続式のコネクタである場合であっても接続状態で保持可能に構成されているが、これに限らない。前記コネクタ１は、少なくとも、スナップフィット接続式のコネクタである相手側コネクタ１００に対して係止保持可能であればよく、例えば、保持部３０のねじ溝部３１を省略してもよい。この場合、保持部３０は、嵌合位置Ｐ３に移動しないように構成することができ、各爪収容部３３を省略することができる。このようなコネクタ１によれば、複数の爪部２２により、被係止部１２０の形状などが異なる複数のスナップフィット接続式の相手側コネクタ１００に対してコネクタ１を接続状態で係止保持できるので、利便性の高いコネクタ１を実現できる。
【００４０】
各爪収容部３３は、第２方向でかつコネクタ本体１０から離れる方向への複数の爪部２２の弾性変形を許容する空間を形成していればよく、保持部３０を第２方向に貫通する開口部で構成されている場合に限らない。例えば、図９および図１０に示すように、保持部３０の内周面に設けられた凹部で構成してもよい。このように、各爪収容部３３を凹部で構成することで、開口部で構成した場合と比較して、防水効果を高めることができる。
【００４１】
係止部２０は、第１方向Ａに延びかつ第１方向Ａまわりに相互に間隔を空けて配置されていると共に、第１方向Ａに交差する第２方向でかつコネクタ本体１０から離れる方向に弾性変形可能な複数の爪部２２を有していればよい。例えば、リング状の本体部２１を省略して、各爪部２２をコネクタ本体１０に直接取り付けてもよい。
【００４２】
各爪部２２は、接続部１１に相手側コネクタ１００が接続された接続状態で、第１方向Ａにおいて相手側コネクタ１００の被係止部１２０に係止可能であればよい。例えば、各爪部２２の突起部２３は、コネクタ１の設計などに応じて、任意の形状および大きさを採用できる。
【００４３】
ガイド部１３は、省略してもよい。この場合、保持部３０のガイド突起３２も省略できる。
【００４４】
弾性部は、コイルばね１５に限らず、保持部３０を第１方向Ａに沿って保持位置Ｐ２に向かって付勢できる任意の構成を採用できる。また、コイルばね１５は、省略してもよい。
【００４５】
以上、図面を参照して本開示における種々の実施形態を詳細に説明したが、最後に、本開示の種々の態様について説明する。なお、以下の説明では、一例として、参照符号も添えて記載する。
【００４６】
本開示の第１態様のコネクタ１は、
第１方向Ａに沿って接続された第１の相手側コネクタに対して係止保持可能な、または、前記第１方向Ａに沿って接続された第２の相手側コネクタに対して嵌合保持可能なコネクタ１において、
前記第１方向Ａに沿って延びると共に、前記第１方向Ａの第１端部１０１に設けられ前記第１の相手側コネクタおよび前記第２の相手側コネクタと接続可能な接続部１１を有するコネクタ本体１０と、
前記コネクタ本体１０の前記第１端部１０１の前記第１方向Ａまわりに配置され、前記接続部１１に前記第１の相手側コネクタが接続された接続状態で、前記第１方向Ａにおいて前記第１の相手側コネクタの被係止部に係止可能な係止部２０と、
前記係止部２０を前記第１方向Ａまわりに取り囲む筒状を有すると共に、その内周面における前記第１方向Ａでかつ前記第１端部１０１に近い方の端部に設けられ、前記接続部１１に前記第２の相手側コネクタが接続された接続状態で、前記第２の相手側コネクタのねじ山部に嵌合可能なねじ溝部３１を有し、前記コネクタ本体１０に対して前記第１方向Ａに沿って移動可能な保持部３０と
を備え、
前記係止部２０が、
前記第１方向Ａに延びかつ前記第１方向Ａまわりに相互に間隔を空けて配置されていると共に、前記第１方向Ａに交差する第２方向Ｂでかつ前記コネクタ本体１０から離れる方向に弾性変形して前記被係止部に係止可能な複数の爪部２２を有し、
前記保持部３０が、
前記被係止部２０に係止された状態の前記複数の爪部２２を保持する保持位置Ｐ２と、前記第１方向Ａにおいて前記保持位置Ｐ２よりも前記第１端部１０１から遠い位置であって前記係止部２０に対する保持を解除する保持解除位置Ｐ１と、前記第１方向Ａにおいて前記保持位置Ｐ２よりも前記コネクタ本体１０の前記第１端部１０１に近い位置であって前記ねじ溝部３１が前記ねじ山部に嵌合する嵌合位置Ｐ３との間を移動可能に構成されている。
【００４７】
第１態様のコネクタ１によれば、複数の爪部２２により、スナップフィット接続式の第１の相手側コネクタに対して接続状態で係止保持でき、また、ねじ溝部３１により、ねじ接続式の第２の相手側コネクタに対して接続状態で嵌合保持できる。すなわち、相手側コネクタが、スナップフィット接続式のコネクタだけでなく、ねじ接続式のコネクタである場合であっても接続状態で保持可能な利便性の高いコネクタ１を実現できる。
【００４８】
本開示の第２態様のコネクタ１は、
前記保持部３０が、
前記第１方向Ａまわりに配置され、前記嵌合位置Ｐ３において、前記係止部２０の前記複数の爪部２２の各々をそれぞれ収容可能な複数の爪収容部３３を有している。
【００４９】
第２態様のコネクタ１によれば、爪収容部３３により、コネクタ１をその径方向において小型化しつつ、利便性の高いコネクタ１を実現できる。
【００５０】
本開示の第３態様のコネクタ１は、
前記複数の爪収容部３３の各々が、前記第２方向Ｂでかつ前記コネクタ本体１０から離れる方向への前記複数の爪部２２の弾性変形を許容する空間を形成している。
【００５１】
第３態様のコネクタ１によれば、簡単な構成で、コネクタ１をその径方向において小型化しつつ、利便性の高いコネクタ１を実現できる。
【００５２】
本開示の第４態様のコネクタ１は、
前記係止部２０が、前記コネクタ本体１０を前記第１方向Ａまわりに取り囲むリング状の本体部２１を有し、前記本体部２１に前記複数の爪部２２が設けられている。
【００５３】
第４態様のコネクタ１によれば、簡単な構成で、利便性の高いコネクタ１を実現できる。
【００５４】
本開示の第５態様のコネクタ１は、
前記複数の爪部２２の各々が、前記第１方向Ａでかつ前記第１端部１０１に近い方の端部に設けられ、前記第２方向Ｂでかつ前記コネクタ本体１０に向かって延びて、前記接続部１１に前記相手側コネクタが接続された接続状態で、前記被係止部に係止可能な突起部２３を有し、
前記保持部３０が、前記保持位置Ｐ２において、前記突起部２３の前記第２方向Ｂへの移動を規制することにより、前記係止部２０を保持する。
【００５５】
第５態様のコネクタ１によれば、簡単な構成で、被係止部１２０の形状などが異なる複数の相手側コネクタに対してコネクタ１を接続状態で係止保持できる。
【００５６】
本開示の第６態様のコネクタ１は、
前記第１方向において前記第１端部の反対側に配置された前記コネクタ本体１０の第２端部１０２に設けられたガイド部１３をさらに備え、
前記保持部３０が、前記第１方向Ａでかつ前記第１端部１０１から遠い方の端部に設けられ、前記第２方向Ｂでかつ前記コネクタ本体１０に接近する方向に延びるガイド突起３２を有し、
前記ガイド部１３が、前記ガイド突起３２を収容して前記保持部３０の前記第１方向Ａへの移動をガイドするガイド溝部１４を有している。
【００５７】
第６態様のコネクタ１によれば、保持部３０を第１方向Ａに沿って容易に移動させることができる。
【００５８】
本開示の第７態様のコネクタ１は、
前記接続部１１と前記ガイド部１３との間に設けられ、前記第１方向Ａに沿って前記保持位置Ｐ２に向かって、前記保持部３０を付勢する弾性部１５をさらに備える。
【００５９】
第７態様のコネクタ１によれば、弾性部１５により、保持部３０の位置を保持位置Ｐ２で容易に維持することができる。
【００６０】
本開示の第８態様のコネクタ１は、
第１方向Ａに沿って接続された相手側コネクタに対して係止保持可能なコネクタ１において、
前記第１方向Ａに沿って延びると共に、前記第１方向Ａの第１端部１０１に設けられ前記相手側コネクタと接続可能な接続部１１を有するコネクタ本体１０と、
前記コネクタ本体１０の前記第１端部１０１の前記第１方向Ａまわりに配置され、前記接続部１１に前記相手側コネクタが接続された接続状態で、前記第１方向Ａにおいて前記相手側コネクタの被係止部に係止可能な係止部２０と、
前記係止部２０の前記第１方向Ａまわりに配置され、前記係止部２０を保持する保持位置Ｐ２と、前記第１方向Ａにおいて前記保持位置Ｐ２よりも前記第１端部１０１から遠い位置であって前記係止部２０に対する保持を解除する保持解除位置Ｐ１との間を前記コネクタ本体１０に対して前記第１方向Ａに沿って移動可能な保持部３０と
を備え、
前記係止部２０が、
前記第１方向Ａに延びかつ前記第１方向Ａまわりに相互に間隔を空けて配置されていると共に、前記第１方向Ａに交差する第２方向Ｂでかつ前記コネクタ本体１０から離れる方向に弾性変形可能な複数の爪部２２を有している。
【００６１】
第８態様のコネクタ１によれば、複数の爪部２２により、被係止部１２０の形状などが異なる複数の相手側コネクタ１００に対してコネクタ１を接続状態で係止保持できるので、利便性の高いコネクタ１を実現できる。
【００６２】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００６３】
本開示のコネクタは、例えば、自動車用工作機械に適用できる。
【符号の説明】
【００６４】
１  コネクタ
２  ケーブル
１０  コネクタ本体
１０１  第１端部
１０２  第２端部
１１  接続部
１２  端子収容部
１３  ガイド部
１４  ガイド溝部
１５  コイルばね
１６  オーリング
２０  係止部
２１  本体部
２２  爪部
２３  突起部
３０  保持部
３１  ねじ溝部
３２  ガイド突起
３３  爪収容部
Ａ  第１方向
Ｂ  第２方向
Ｐ１  保持解除位置
Ｐ２  保持位置
Ｐ３  嵌合位置
Ｌ  中心線
【図１】
2019160652.tif 000003
【図２】
2019160652.tif 000004
【図３】
2019160652.tif 000005
【図４】
2019160652.tif 000006
【図５】
2019160652.tif 000007
【図６】
2019160652.tif 000008
【図７】
2019160652.tif 000009
【図８】
2019160652.tif 000010
【図９】
2019160652.tif 000011
【図１０】
2019160652.tif 000012